(57)【要約】【課題】  レインバリアの設置後にその設置状態の修正を容易になし得る外壁の乾式目地形成方法およびそれを用いた外壁パネルを提供する。【解決手段】  溝型とされたレインバリア３を備えた外壁パネル１を用いて乾式目地Ｋを形成する乾式目地形成方法であって、前記外壁パネル１をそのレインバリア３を隣接する外壁パネル１側面または壁面に当接させて所定位置に設置し、ついで前記レインバリア３の設置状態を該レインバリア３に設けられた修正手段５により修正するものである。前記修正手段５は、例えば、レインバリア３の上端から同下端を経由して外壁パネル１の外側表面の所定位置Ｐまで延伸貼設されたテープ５１とされる。【選択図】  図７
2006029033.tif 000002
【特許請求の範囲】
【請求項１】
溝型とされたレインバリアを備えた外壁パネルを用いて乾式目地を形成する乾式目地形成方法であって、
前記外壁パネルをそのレインバリアを隣接する外壁パネル側面または壁面に当接させて所定位置に設置する手順と、
前記レインバリアの設置状態を該レインバリアに設けられた修正手段により修正する手順
とを含むことを特徴とする外壁の乾式目地形成方法。
【請求項２】
前記修正手段は、レインバリアの上端から同下端を経由して外壁パネルの外側表面の所定位置まで延伸貼設されたテープとされ、該テープを引き剥がすことによりレインバリアの設置状態が修正されることを特徴とする請求項１記載の外壁の乾式目地形成方法。
【請求項３】
レインバリアを備えた外壁パネルであって、該レインバリアがその設置状態を修正する修正手段を有してなることを特徴とする外壁パネル。
【請求項４】
前記修正手段は、レインバリアの上端から同下端を経由して外壁パネルの外側表面の所定位置まで延伸貼設されたテープとされてなることを特徴とする請求項３記載の外壁パネル。
【発明の詳細な説明】
【技術分野】
【０００１】
本発明は外壁の乾式目地形成方法およびそれに用いる外壁パネルに関する。さらに詳しくは、いわゆる乾式工法により目地を形成する場合に、レインバリアの設置状態を容易に修正できるようにされた外壁の乾式目地形成方法およびそれに用いる外壁パネルに関する。
【背景技術】
【０００２】
従来より、乾式ガスケットからなるレインバリア、ウインドバリアなどを建物外壁の目地に配設して、止水、防風するようにした乾式目地構造が知られている（特許文献１等参照）。
【０００３】
図９に、従来の乾式目地構造の一例を水平断面図で示す。この目地構造１００は、建物外壁を構成する各外壁パネル１０１の側面間の目地構造とされ、その縦目地１０２の建物外側にフィン状のレインバリア１０３を配設し、建物内側に中空丸棒状のウインドバリア１０４を配設してなるものとされる。ここで、パネル１０１は、ＧＲＣ（ガラス繊維補強コンクリート）板１０１ａ表面にタイル１０１ｂを貼設したものとされる。
【０００４】
レインバリア１０３およびウインドバリア１０４は、パネル１０１の一方の側面１０１ｃにあらかじめ取り付けられており、この側面を他のパネル１０１の側面と突き合わせることによって、レインバリア１０３およびウインドバリア１０４が圧縮、変形され、止水、防風機能を発揮するものとされる。
【０００５】
ところが、前記フィン状のレインバリア１０３においては、フィンが一様に傾倒されず、ねじれが生じるなどして止水の不十分な設置状態となることがある。このことは、建物外側に位置するフィンがねじれた場合に顕著になる。このため、レインバリア１０３の設置状態を施工後に確認し、不具合があればそれを修正する必要があるが、高所など目地の位置によっては検査、修正に手間が掛かる場合があり、工期短縮の障害になるといった問題がある。
【特許文献１】特開２００２−７０１９１号公報
【発明の開示】
【発明が解決しようとする課題】
【０００６】
本発明はかかる従来技術の課題に鑑みなされたものであって、レインバリアの設置後にその設置状態の修正を容易になし得る外壁の乾式目地形成方法およびそれを用いた外壁パネルを提供することを目的としている。
【課題を解決するための手段】
【０００７】
本発明の外壁の乾式目地形成方法は、溝型とされたレインバリアを備えた外壁パネルを用いて乾式目地を形成する乾式目地形成方法であって、前記外壁パネルをそのレインバリアを隣接する外壁パネル側面または壁面に当接させて所定位置に設置する手順と、前記レインバリアの設置状態を該レインバリアに設けられた修正手段により修正する手順とを含むことを特徴とする。
【０００８】
本発明の外壁の乾式目地形成方法においては、前記修正手段は、例えば、レインバリアの上端から同下端を経由して外壁パネルの外側表面の所定位置まで延伸貼設されたテープとされ、該テープを引き剥がすことによりレインバリアの設置状態が修正される。
【０００９】
本発明の外壁パネルは、レインバリアを備えた外壁パネルであって、該レインバリアがその設置状態を修正する修正手段を有してなることを特徴とする。
【００１０】
本発明の外壁パネルにおいては、前記修正手段は、例えば、レインバリアの上端から同下端を経由して外壁パネルの外側表面の所定位置まで延伸貼設されたテープとされる。
【発明の効果】
【００１１】
本発明によれば、レインバリアの設置状態、例えば建物外側のフィンの修正が容易になし得るという優れた効果が得られる。
【発明を実施するための最良の形態】
【００１２】
以下、添付図面を参照しながら本発明を実施形態に基づいて説明するが、本発明はかかる実施形態のみに限定されるものではない。
【００１３】
図１に本発明の一実施形態に係る外壁の乾式目地形成方法を適用して形成された目地構造を水平断面図で示す。
【００１４】
目地構造Ｋは、図２に示すようなバルコニー床部２０を囲うバルコニー腰壁として用いられる各外壁パネル１間の目地を止水、防風するための目地構造とされる。
【００１５】
目地構造Ｋは、図１に示すように、外壁パネル１の一方の側面にレインバリア３およびウインドバリア４を取り付け、この側面を他の外壁パネル１の側面と突き合わせて形成されるものである。また、目地構造Ｋには、図１に示すように、レインバリア３の設置状態を目地形成後に修正するための修正手段５として、テープ５１があらかじめ貼設される。
【００１６】
なお、本実施形態の目地構造Ｋは、図３に示すように、同一平面に並べられた各外壁パネル１の接合箇所Ａに設けられるものとされる。
【００１７】
レインバリア３は、シリコンゴムなどの弾性材からなり、断面が溝型となるように細長い板状の取付部３ａの両側端に、全長にわたって止水用のフィン３ｂ，３ｃを立設してなるものとされる。ウインドバリア４は、シリコンゴムなどの弾性材からなり、取付面４ａを有する中空丸棒状の部材とされている。ここで、ウインドバリア４の長さは、後述するように、レインバリア３下端からの雨水を排水できるようレインバリア３より長くされている（図２参照）。
【００１８】
図２に、目地構造Ｋが設けられるバルコニーの構造を鉛直断面図により示す。
【００１９】
バルコニー１０は、Ｈ型鋼からなる梁１１により床板１２を支持し、その上面に防水シート１３を貼設するとともに、床板１２に下側化粧板１４を吊設してなるバルコニー床部２０を有する。バルコニー床部２０の周囲には、梁１１に上部ファスナ１５および下部ファスナ１６を用いて取り付けられた外壁パネル１が腰壁として配設される。
【００２０】
ここで、レインバリア３およびウインドバリア４は、バルコニー床部２０への浸水等を防止するために、バルコニー床部２０の側方部分に設けられるものとされる。より具体的には、レインバリア３およびウインドバリア４が設置される範囲（以下、防水範囲という）は、バルコニー床表面の約１０センチメートル上方から外壁パネル１の下端までとされ、前記防水シート１３は、床板１２の上面と前記防水範囲の外壁パネル１の建物内側表面とを覆うように設けられるものとされる。
【００２１】
また、外壁パネル１の建物内側表面における前記防水範囲の上端対応位置には、作業などのための横溝Ｃが外壁パネル１の全幅にわたって設けられるものとされる。
【００２２】
図４に、前記横溝Ｃ近傍の詳細を示す。
【００２３】
図４に示すように、ウインドバリア４は、鋭角に折れ曲がる曲がり部４ｂを有し、この曲がり部４ｂの上端が前記横溝Ｃの下方に位置するように配設されるものとされる。ウインドバリア４の曲がり部４ｂの上端面にはブチルシール２１が貼設され、このブチルシール２１が、横溝Ｃに嵌装される塩ビ鋼板２２と当接して、バルコニー床部２０への浸水を阻止するものとされる。
【００２４】
この横溝Ｃ内には塩ビ鋼板２２の上にボンドブレーカー２３が施され、さらにその上にシーリング材２４が充填される。なお、前記防水シート１３は塩ビ鋼板２２に熱溶着されて固定される。
【００２５】
ウインドバリア４は、上端が曲がり部４ｂから建物外側斜め下方に向かって延びる所定長さの曲がり延長部４ｃを有してなるものとされる。曲がり延長部４ｃは、レインバリア３の上方を覆う程度の長さとされ、レインバリア３は、曲がり延長部４ｃの下辺とその上端が接続された状態で設けられるものとされ、その下端はウインドバリア４の下端より所定距離上方に位置させられる。
【００２６】
また、ウインドバリア４は、下端が、外壁パネル１の下端と一致する位置まで延びるように形成される一方、下端から例えば約１０センチメートルの位置で分岐され（図２参照）、この分岐位置から建物外側斜め下方に外壁パネル１の表面またはその近傍に達するまで延びる分岐延長部４ｄが設けられるものとされる。分岐延長部４ｄは、レインバリア３により止水されてその下端から滴下する雨水を建物外側に流すように機能するものとされる。
【００２７】
図５に、前記横溝Ｃ周辺部分を斜視図により示す。
【００２８】
同図に示すように、目地２の前記防水範囲の建物内側には、目地２を覆うように目地不陸緩衝用の例えばポリエチレンからなる目地テープ２５が貼設されるものとされる。
【００２９】
次に、修正手段を説明する。
【００３０】
修正手段５は、図１に示すように、レインバリア３のフィン３ｂ、３ｃにより挟まれた取付部３ａの表面に、目地形成後に引き剥がし可能な状態でテープ５１を貼設してなるものとされる。
【００３１】
図６に、レインバリア３、ウインドバリア４および修正手段５を外壁パネル１に設ける手順を示す。
【００３２】
手順１：レインバリア３およびウインドバリア４を、外壁パネル１の一方側面の前記防水範囲対応位置に取り付ける（図６（ａ）参照）。
【００３３】
手順２：レインバリア３の上端を始点として下端に達するまで、取付部３ａの表面にテープ５１を貼設し、そのままテープ５１を延長して、その先端部分５１ａを外壁パネル１の建物外側表面における所定位置Ｐに固定する（図６（ｂ）参照）。この所定位置Ｐは、外壁パネル１の上端から手が届く範囲の位置とされる。
【００３４】
手順３：一方側面にレインバリア３、ウインドバリア４および修正手段５が設けられた外壁パネル１の向きを揃え、スペーサ４１を間に挟んで集積する（図６（ｃ）参照）。
【００３５】
図７に、目地機構Ｋの形成手順を示す。
【００３６】
手順１１：レインバリア３、ウインドバリア４およびテープ５１が設けられた外壁パネル１の側面を、隣の外壁パネル１の側面と突き合わせて並べるように梁１１に固定する（図７（ａ）参照）。これにより、各外壁パネル１の間に縦目地２が形成される。
【００３７】
手順１２：作業員が外壁パネル１の上から手を伸ばしてテープ５１の先端部分５１ａを把持し（図７（ｂ）参照）、テープ５１をレインバリア３の下端から上端まで建物外側に向かって引き剥がしていくようにテープ５１の先端部分５１ａを引っ張る。これにより、建物外側に位置するフィン３ｂがねじれた状態で設置されている場合にもそれが修正される。
【００３８】
このように、この実施形態の外壁の乾式目地形成方法においては、一方側面にレインバリア３およびウインドバリア４があらかじめ取り付けられた外壁パネル１を所定方向に並べて建て付けることによって、各外壁パネル１の間に目地２が形成される場合に、レインバリア３の２本のフィン３ｂ、３ｃの間にテープ５１を目地形成後に引き剥がし可能な状態であらかじめ貼設するとともに、外壁パネル１の建て付けが終了し、目地２が形成された後にテープ５１をフィン３ｂの外側に向かって引き剥がすものとされる。これにより、レインバリア３のフィン３ｂのねじれなどの設置不良が修正される。
【００３９】
したがって、外壁パネル１がバルコニー腰壁として用いられ、前記設置不良の発見、修正に手間を要するような場合においても、容易にレインバリア３の設置状態を実用上問題のないように修正することが可能となる。
【００４０】
なお、前記実施形態では、同一平面に並べられる外壁パネル１間の目地２の場合を説明したが本発明はこれに限らず、例えば、図８に示すように、外壁パネル１と建物外壁１Ａとが直交する方向に接続される箇所（図３の破線Ｂにより囲まれた箇所）にも適用することができる。この場合にも、外壁パネル１の側面にレインバリア３およびウインドバリア４を設けるとともに、前記した態様でテープ５１をあらかじめ貼設し、外壁パネル１を建て付けた後に適宜位置に配されたテープ５１の先端部分５１ａを引っ張るだけでレインバリア３の設置状態を容易に実用上問題のないように修正することができる。
【産業上の利用可能性】
【００４１】
本発明は、フィンを有し溝型状とされてレインバリアが設けられた外壁パネルが用いられた乾式目地に適用できる。
【図面の簡単な説明】
【００４２】
【図１】本発明の一実施形態に係る外壁の乾式目地形成方法を適用して形成された目地構造の水平断面図である。
【図２】同実施形態の目地構造が設けられるバルコニーの鉛直断面図である。
【図３】同目地構造の適用箇所を模式的に示す平面図である。
【図４】同目地構造の一部を拡大した鉛直断面図である。
【図５】同部分の詳細を示す斜視図である。
【図６】外壁パネルの製作手順を模式的に示す斜視図である。
【図７】目地構造の形成手順を模式的に示す斜視図である。
【図８】実施形態の変形例を示す水平断面図である。
【図９】従来の目地構造の一例を示す水平断面図である。
【符号の説明】
【００４３】
Ｋ  目地構造
１  外壁パネル
２  目地
３  レインバリア
４  ウインドバリア
５  修正手段
１０  バルコニー
２０  バルコニー床部
５１  テープ
【図１】
2006029033.tif 000003
【図２】
2006029033.tif 000004
【図３】
2006029033.tif 000005
【図４】
2006029033.tif 000006
【図５】
2006029033.tif 000007
【図６】
2006029033.tif 000008
【図７】
2006029033.tif 000009
【図８】
2006029033.tif 000010
【図９】
2006029033.tif 000011